(57)【要約】【課題】制御装置などの他装置の組み付けを容易化することが期待できる電気接続箱を提供する。【解決手段】本実施の形態に係る電気接続箱は、一面に他装置を収容する凹所が形成された多面体型の箱体と、前記凹所内に設けられ、前記他装置の端子が接続される接続部と、前記他装置を回動可能に支持する支持部と、前記一面とは異なる他面に設けられ、前記支持部に回動可能に支持された前記他装置を前記接続部に接続する方向へ押し付ける冶具を着脱可能に装着する冶具装着部とを備える。前記冶具は、前記冶具装着部に回動可能に支持される被支持板と、前記被支持板の一面に交差する方向へ延び、前記他装置に押し付けられる押付部とを有する。【選択図】図９
2019221018.tif 000002
【特許請求の範囲】
【請求項１】
一面に他装置を収容する凹所が形成された多面体型の箱体と、
前記一面に交差する方向へ突出するように前記凹所内に設けられ、前記他装置の端子が接続される接続部と、
前記他装置を回動可能に支持する支持部と、
前記一面とは異なる他面に設けられ、前記支持部に回動可能に支持された前記他装置を前記接続部に接続する方向へ押し付ける冶具を着脱可能に装着する冶具装着部と
を備える電気接続箱。
【請求項２】
前記冶具装着部は、装着された前記冶具を回動可能に支持する、請求項１に記載の電気接続箱。
【請求項３】
前記支持部による前記他装置の回動の軸と、前記冶具装着部による前記冶具の回動の軸とが平行である、請求項２に記載の電気接続箱。
【請求項４】
前記接続部は、前記支持部及び前記冶具装着部の間に配置されている、請求項１乃至請求項３のいずれか１つに記載の電気接続箱。
【請求項５】
前記接続部及び前記冶具装着部の間の距離は、前記接続部及び前記支持部の間の距離より短い、請求項４に記載の電気接続箱。
【請求項６】
前記冶具装着部は、
前記箱体の前記他面に突出して設けられた２つの突出部と、
前記２つの突出部間に架け渡して設けられた軸体と
を有する、請求項１乃至請求項５のいずれか１つに記載の電気接続箱。
【請求項７】
前記冶具は、
前記冶具装着部に回動可能に支持される被支持板と、
前記被支持板の一面に交差する方向へ延び、前記他装置に押し付けられる押付部と
を有する、請求項１乃至請求項６のいずれか１つに記載の電気接続箱。
【請求項８】
前記接続部は、コネクタである請求項１乃至請求項７のいずれか１つに記載の電気接続箱。
【発明の詳細な説明】
【技術分野】
【０００１】
本発明は、ジャンクションボックス又はリレーボックス等の電気接続箱に関する。
【背景技術】
【０００２】
従来、車両には多数の電装品が搭載されている。電装品は、電力を供給する電力線を介してバッテリなどの電源に接続されると共に、制御信号を伝達する信号線を介して制御装置に接続される。電装品及び電源を接続する電力線には、リレー又はヒューズ等の電気部品が介在する場合が多い。電力線及び信号線等は、車両内に適宜に配され、電装品及び電源等に接続される。近年では、車両が有する機能の多様化により、車両に搭載される電装品の数が増加している。電装品の増加に伴って、車両内を配される電力線の数が増加し、電力線に介在するリレー又はヒューズ等の数も増加する傾向にある。
【０００３】
リレー又はヒューズ等の電気部品は回路保護などを目的として車両内に複数備えられる。これら複数の電気部品は、電気接続箱（いわゆるジャンクションボックス又はリレーボックス等）に集約されて収容される。電気接続箱は、車両の適所に固定され、電源からの電力線と電装品への電力線とが接続される。また電気接続箱には、収容された電気部品を制御する制御装置が内蔵される場合、又は、別筐体で提供される制御装置が組み付けられる場合がある。特許文献１及び特許文献２には、このような電気接続箱の構成が記載されている。
【先行技術文献】
【特許文献】
【０００４】
【特許文献１】特開２０１３−１５０５０４号公報
【特許文献２】特開２０１６−０４７６６２号公報
【発明の概要】
【発明が解決しようとする課題】
【０００５】
電気接続箱に対する制御装置などの組み付けは、例えば車両の製造工程において作業員の手作業により行われる。このときに、電気接続箱に設けられた接続端子と、制御装置などに設けられた接続端子とを接続する必要がある。近年では、電気接続箱と制御装置などとの間で授受される信号の数が増加し、これに伴って接続端子の端子数が増加する傾向にある。しかしながら端子数が増加するほど、作業者は接続端子同士の接続作業を行う際により大きな力を加えて組み付け作業を行う必要が生じる。
【０００６】
本発明は、斯かる事情に鑑みてなされたものであって、その目的とするところは、制御装置などの他装置の組み付けを容易化することが期待できる電気接続箱を提供することにある。
【課題を解決するための手段】
【０００７】
本態様に係る電気接続箱は、一面に他装置を収容する凹所が形成された多面体型の箱体と、前記一面に交差する方向へ突出するように前記凹所内に設けられ、前記他装置の端子が接続される接続部と、前記他装置を回動可能に支持する支持部と、前記一面とは異なる他面に設けられ、前記支持部に回動可能に支持された前記他装置を前記接続部に接続する方向へ押し付ける冶具を着脱可能に装着する冶具装着部とを備える。
【発明の効果】
【０００８】
上記によれば、制御装置などの他装置の組み付けを容易化することが期待できる。
【図面の簡単な説明】
【０００９】
【図１】本実施の形態に係る電気接続箱の構成を示す斜視図である。
【図２】本実施の形態に係る電気接続箱の構成を示す斜視図である。
【図３】本実施の形態に係る電気接続箱の構成を示す分解斜視図である。
【図４】本実施の形態に係る電気接続箱の構成を示す正面図である。
【図５】本実施の形態に係る電気接続箱の構成を示す左側面図である。
【図６】本実施の形態に係る電気接続箱の構成を示す上面図である。
【図７】本実施の形態に係る冶具の構成を示す斜視図である。
【図８】本実施の形態に係る冶具の構成を示す側面図である。
【図９】本実施の形態に係る電気接続箱に対する制御ユニットの組み付けを説明するための斜視図である。
【図１０】本実施の形態に係る電気接続箱に対する制御ユニットの組み付けを説明するための側面図である。
【発明を実施するための形態】
【００１０】
［本発明の実施の形態の説明］
最初に本発明の実施態様を列記して説明する。また、以下に記載する実施形態の少なくとも一部を任意に組み合わせてもよい。
【００１１】
（１）本態様に係る電気接続箱は、一面に他装置を収容する凹所が形成された多面体型の箱体と、前記一面に交差する方向へ突出するように前記凹所内に設けられ、前記他装置の端子が接続される接続部と、前記他装置を回動可能に支持する支持部と、前記一面とは異なる他面に設けられ、前記支持部に回動可能に支持された前記他装置を前記接続部に接続する方向へ押し付ける冶具を着脱可能に装着する冶具装着部とを備える。
【００１２】
本態様にあっては、電気接続箱は多面体型の箱体を備え、箱体の一面には他装置を収容する凹所が形成されている。凹所内には、他装置の端子が接続される接続部が、前記一面に交差する方向へ突出するように設けられている。また、電気接続箱は他装置を回動可能に支持する支持部を備え、作業者は支持部に支持された他装置を回動させて接続部に接続する。電気接続箱の箱体には、凹所が形成された一面とは異なる他面に、他装置を接続部に接続する方向へ押し付けるための冶具を着脱可能に装着する冶具装着部を設ける。これにより作業者は、他装置を電気接続箱に組み付ける作業を行う際に、箱体の冶具装着部に冶具を装着し、箱体に回動可能に支持された他装置を冶具にて接続部に接続する方向へ押し付けることができるため、他装置の接続部への接続作業を容易化することができる。
【００１３】
（２）前記冶具装着部は、装着された前記冶具を回動可能に支持することが好ましい。
【００１４】
本態様にあっては、電気接続箱の冶具装着部は、装着された冶具を回動可能に支持する。作業者は、冶具装着部に装着した冶具を回動して他装置に押し付け、他装置を接続部に接続する作業を行うことができる。
【００１５】
（３）前記支持部による前記他装置の回動の軸と、前記冶具装着部による前記冶具の回動の軸とが平行であることが好ましい。
【００１６】
本態様にあっては、電気接続箱の支持部が他装置を支持する回動の軸と、冶具装着部が冶具を支持する回動の軸とが平行である。これにより、他装置の回動と冶具の回動とを同じ方向とすることができる。
【００１７】
（４）前記接続部は、前記支持部及び前記冶具装着部の間に配置されていることが好ましい。
【００１８】
本態様にあっては、電気接続箱の接続部が、他装置を支持する支持部と、冶具を装着する冶具装着部との間に配置される。これにより、冶具装着部に装着した冶具を、接続部に近い位置で他装置に押し付けることができる。
【００１９】
（５）前記接続部及び前記冶具装着部の間の距離は、前記接続部及び前記支持部の間の距離より短いことが好ましい。
【００２０】
本態様にあっては、接続部及び冶具装着部の間の距離が、接続部及び支持部の間の距離より短い。これにより、冶具装着部に装着した冶具を支持部に支持された他装置に押し付けて、より大きな力で他装置を接続部に接続することができ、他装置の接続部への接続を容易化できる。
【００２１】
（６）前記冶具装着部は、前記箱体の前記他面に突出して設けられた２つの突出部と、前記２つの突出部間に架け渡して設けられた軸体とを有することが好ましい。
【００２２】
本態様にあっては、冶具装着部が電気接続箱の箱体の他面に突出して設けられた２つの突出部と、この２つの突出部の間に架け渡して設けられた軸体とを有する。これにより冶具装着部は、簡素な構成で、軸体にて冶具を回動可能に支持することができる。
【００２３】
（７）前記冶具は、前記冶具装着部に回動可能に支持される被支持板と、前記被支持板の一面に交差する方向へ延び、前記他装置に押し付けられる押付部とを有することが好ましい。
【００２４】
本態様にあっては、電気接続箱に装着される冶具が、冶具装着部によって回動可能に支持される被支持板と、この被支持板の一面に交差する方向へ延びる押付部とを有する。作業者は、電気接続箱の他面にて回動可能に被支持板が支持された冶具を回動させ、電気接続箱の一面に組み付けられる他装置に被支持板から延びる押付部を押し付けて、他装置を電気接続箱の接続部に接続することができる。このような冶具を用いることにより、電気接続箱の他面に支持された冶具にて、電気接続箱の一面に組み付けられる他装置を押し付ける作業を作業者が容易に行うことができる。
【００２５】
（８）前記接続部は、コネクタであることが好ましい。
【００２６】
本態様にあっては、電気接続箱の接続部は、いわゆるコネクタである。例えば、複数の電気配線を同時的に接続することが可能なコネクタが電気接続箱に設けられている場合、同時接続数（いわゆるピン数）が多いコネクタであるほど他装置の接続に大きな力を加える必要がある。上記の冶具を利用して他装置の接続を行う構成とすることにより、接続を容易化することができると共に、より同時接続数が多いコネクタを電気接続箱に設けることが可能となる。
【００２７】
［本発明の実施形態の詳細］
本発明の実施形態に係る電気接続箱の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００２８】
図１及び図２は、本実施の形態に係る電気接続箱の構成を示す斜視図である。ただし、図１には本実施の形態に係る電気接続箱１と共に、この電気接続箱１に組み付けられる制御ユニット９と、制御ユニット９の電気接続箱１に対する組み付け作業に用いられる冶具６とが示されている。図２には本実施の形態に係る電気接続箱１の単体の構成が示されている。また図３は、本実施の形態に係る電気接続箱１の構成を示す分解斜視図である。図４は本実施の形態に係る電気接続箱１の構成を示す正面図であり、図５は本実施の形態に係る電気接続箱１の構成を示す左側面図であり、図６は本実施の形態に係る電気接続箱１の構成を示す上面図である。
【００２９】
本実施の形態に係る電気接続箱１は、例えば図示しない車両の車体に固定され、車両内に配される電力線又は通信線等のケーブルが複数接続され、複数のケーブル同士を電気的に接続する装置である。電気接続箱１は、ジャンクションボックス、リレーボックス又は中継器等の名称で呼ばれ得る装置である。電気接続箱１には、リレー及びヒューズ等の電気部品を搭載した回路基板４０が収容されており、これらの電気部品を介して複数のケーブルが電気的に接続される。
【００３０】
電気接続箱１は、回路基板４０を収容する本体部１０と、この本体部１０の開放部分を閉塞する蓋体３０とを備える扁平な直方体状の箱体である。電気接続箱１は、本体部１０の背面側の開放部分から回路基板４０をその内部に収め、開放部分を閉塞するように蓋体３０を本体部１０に固定したものである。本実施の形態においては、電気接続箱１の６つの面１０ａ〜１０ｆについて、便宜上、正面１０ａ、左側面１０ｂ、背面１０ｃ、右側面１０ｄ、上面１０ｅ及び下面１０ｆと区別する。電気接続箱１は、車両内において上面１０ｅを上側とし、下面１０ｆを下側とした向きで車体に固定される。電気接続箱１の正面１０ａ及び背面１０ｃは、表裏に位置する幅広の面である。左側面１０ｂ、右側面１０ｄ、上面１０ｅ及び下面１０ｆは、正面１０ａ及び背面１０ｃに隣接する細長の面である。
【００３１】
回路基板４０は、長方形の板状であり、電気部品が搭載されると共に、この電気部品を用いた電気回路を構成する配線パターンが形成されている。回路基板４０の上辺の縁部分には、別筐体として提供される制御ユニット９が電気的に接続される接続部１１ａが接続固定されている。接続部１１ａは、細長い長方形状の開口が設けられた四角筒状のケース内に、電気的接続を行うための金属端子が設けられた構成であり、四角筒状のケースが回路基板４０の板面に対して略垂直に突出して設けられている。接続部１１ａは、いわゆるコネクタである。本実施の形態に係る電気接続箱１が備える接続部１１ａは、複数の電気配線を同時的に接続することが可能なコネクタである。
【００３２】
回路基板４０の左右辺の縁部分には、複数の接続部１２がそれぞれ接続固定されている。接続部１２は、ケーブルを接続するためのものであり、接続するケーブルの種別及び規格等に適した大きさ及び形状等が採用される。本実施の形態に係る電気接続箱１に設けられた複数の接続部１２は、個々に大きさ及び形状等は異なるが、正方形状又は長方形状の開口が設けられた四角筒状のケース１２ａ内に電気的接続を行うための金属端子１２ｂが設けられた構成である。ケーブルの先端に設けられた四角柱状又は四角筒状の接続部を、電気接続箱１の接続部１２のケース１２ａに挿入して嵌合させることにより、ケーブル内の電線と接続部１２の金属端子１２ｂとが電気的に接続される。
【００３３】
また回路基板４０の下辺の縁部分には、ヒューズを収容するヒューズ収容部２０が設けられている。ヒューズ収容部２０は、ヒューズを収容する直方体状の箱体２１と、ヒューズを出し入れするための箱体２１の開口を覆う蓋体２２とを備えている。箱体２１は、図示は省略するが、内部が複数の小部屋に仕切られており、各小部屋にヒューズが収容される。箱体２１の突出端面を覆う蓋体２２は、該突出端面より若干大きな長方形の板状であり、周縁部分を囲んで周壁２２ａが設けられている。蓋体２２は、長手方向の両側に設けられた係合部２２ｂ，２２ｃが箱体２１に設けられた係合部と係合することにより、取り外し可能に箱体２１に装着される。
【００３４】
電気接続箱１の正面１０ａには、正面１０ａの半分以上の面積を占める、正面視で略長方形の凹所１１が形成されている。電気接続箱１の凹所１１には、別筐体として提供される制御ユニット９が組み付けられる。凹所１１の底面には、正面１０ａの上辺寄りの位置に、この上辺に沿って長い長方形状の開口が形成されており、電気接続箱１の内部に収容された回路基板４０に設けられた接続部１１ａがこの開口を通して外部へ突出する。接続部１１ａは、電気接続箱１の正面１０ａに対して交差する方向（直交する方向）に突出するように、凹所１１内に設けられている。電気接続箱１の凹所１１内に制御ユニット９の筐体が嵌め込まれ、制御ユニット９の接続部と電気接続箱１の接続部１１ａとが接続されることによって、制御ユニット９が電気接続箱１に組み付けられる。
【００３５】
電気接続箱１の左側面１０ｂ及び右側面１０ｄには、この面の長手方向（電気接続箱１の上下方向）に長い開口１３がそれぞれ形成されている。電気接続箱１の内部に収容された回路基板４０の左右辺にそれぞれ設けられた接続部１２は、電気接続箱１の開口１３を通して外部へ突出する。また電気接続箱１の下面１０ｆには、下面１０ｆの長手方向（電気接続箱１の左右方向）に長い開口が形成されている。電気接続箱１に収容された回路基板４０の下辺に設けられたヒューズ収容部２０は、電気接続箱１の下面１０ｆの開口を通して外部へ突出する。
【００３６】
上述のように電気接続箱１は、本体部１０と、この本体部１０から取り外し可能な蓋体３０とを組み合わせて構成されている。本体部１０は、電気接続箱１の正面１０ａと、電気接続箱１の左側面１０ｂ、右側面１０ｄ、上面１０ｅ及び下面１０ｆの一部とを構成する。蓋体３０は、電気接続箱１の背面１０ｃと、電気接続箱１の左側面１０ｂ、右側面１０ｄ、上面１０ｅ及び下面１０ｆの一部とを構成する。電気接続箱１は、リレー、接続部１１ａ、接続部１２及びヒューズ収容部２０等が固定された回路基板４０が背面の開口部分から本体部１０に収容され、本体部１０の背面側に蓋体３０を装着して開口を覆うことにより組み立てがなされる。電気接続箱１の本体部１０に対する蓋体３０の装着は、例えば爪状の部分を利用した係合、又は、ネジ止め等の種々の方法を採用し得る。
【００３７】
電気接続箱１の組み立て完了後、電気接続箱１の凹所１１に制御ユニット９が組み付けられる。制御ユニット９は、扁平な直方体状の筐体９０を備えている。本実施の形態においては制御ユニット９の筐体９０の６面を、電気接続箱１の６面と同様の位置関係で、正面、背面、上面、下面、左側面及び右側面と呼ぶ。制御ユニット９の筐体９０の背面には、図示は省略するが、電気接続箱１の凹所１１内に設けられた接続部１１ａに接続される接続部が設けられている。制御ユニット９の接続部は、例えば筐体９０の背面に形成された凹部の底部分に複数の金属端子を突設した構成とすることができる。この構成では、電気接続箱１の接続部１１ａが筐体９０の凹部内に挿入され、接続部１１ａの金属端子と筐体９０の金属端子とが接続されることにより、電気接続箱１と制御ユニット９との電気的な接続がなされる。
【００３８】
制御ユニット９の筐体９０には、下面の左右方向の両端に、左右側面に連なる面を有する板状の突出部９１がそれぞれ設けられている。２つの突出部９１は、筐体９０の下面の長手方向に対向し、その対向面には軸状部分（図示は省略する）が突出して設けられている。制御ユニット９は２つの突出部９１にて電気接続箱１に回動可能に支持される。突出部９１にそれぞれ設けられた軸状部分は、電気接続箱１に制御ユニット９の回動の軸となる。
【００３９】
電気接続箱１の凹所１１は正面視で略長方形であり、電気接続箱１の上側に対応する内面（上面１０ｅの反対面）から所定距離を隔てて接続部１１ａが設けられている。また凹所１１の電気接続箱１の下側に対応する内面には、左右方向の両端から若干中央寄りの位置にそれぞれ支持部１４が設けられている。各支持部１４は、凹所１１の左右の内面に対向するように、左右の内面から所定距離を隔てて、凹所１１の下側の内面から上方向へ突出する態様で設けられた長方形の板状の壁部１４ａをそれぞれ有している。凹所１１の左右の内面に対向する壁部１４ａの面には、庇状の軸保持部１４ｂが設けられている。軸保持部１４ｂは、電気接続箱１の上下方向に長い長方形の板状であり、長手方向の上側端部が凹所１１の底面側（電気接続箱１の背面側）へ向けて湾曲している。
【００４０】
電気接続箱１に制御ユニット９を組み付ける場合、作業者は、制御ユニット９の筐体９０の下面に設けられた２つの突出部９１を、電気接続箱１の凹所１１の左右の内面と支持部１４の壁部１４ａとの間にそれぞれ挿入する。これにより、制御ユニット９の突出部９１に設けられた軸状部分が、電気接続箱１の軸保持部１４ｂの湾曲部分にて保持される。この状態において制御ユニット９は、電気接続箱１の軸保持部１４ｂに保持された筐体９０の突出部９１の軸状部分を中心に、電気接続箱１の凹所１１を出入する方向に略９０°の範囲で回動させることが可能である。
【００４１】
また制御ユニット９の筐体９０には、上面の左右方向の中央に、係合部９２が設けられている。係合部９２は、筐体９０の上面から上方向へ突出し、且つ、筐体９０の正面に連なる面を有する板状の第１部分と、この第１部分の突出端から背面側へ折れ曲るように設けられた第２部分とを有する側面視で略Ｌ字型である。電気接続箱１の上面１０ｅの左右方向の中央には、制御ユニット９の係合部９２に係合される被係合部１５が設けられている。制御ユニット９が電気接続箱１に組み付けられた状態において、制御ユニット９の係合部９２は電気接続箱１の凹所１１の外側へ延出し、係合部９２の第２部分は電気接続箱１の上面１０ｅに設けられた被係合部１５に係合する。被係合部１５は側面視が略直角三角形の突起を有し、図示は省略するが制御ユニット９の係合部９２にも同様の突起が設けられ、両突起が当接することにより係合が行われる。制御ユニット９の係合部９２と電気接続箱１の被係合部１５との係合により、制御ユニット９は電気接続箱１からの脱落などが防止される。
【００４２】
電気接続箱１の上面１０ｅには、被係合部１５を間にして、２つの冶具装着部１６が上面１０ｅの長手方向に並べて配されている。各冶具装着部１６は、電気接続箱１の上面１０ｅから略平行に突出して設けられた２つの板部１６ａと、この２つの板部１６ａの間に架け渡された丸棒状の回転軸１６ｂとをそれぞれ有している。冶具装着部１６には、電気接続箱１の支持部１４に回動可能に支持された制御ユニット９を、電気接続箱１の接続部１１ａに接続する際に用いられる冶具６が回動可能に装着される。
【００４３】
図７は、本実施の形態に係る冶具６の構成を示す斜視図である。図８は、本実施の形態に係る冶具６の構成を示す側面図である。本実施の形態に係る冶具６は、側面視が略Ｌ字型をなす、板体が屈曲した態様の部材である。詳しくは、冶具６は、一つの角部分が切り掛かれた矩形板状をなす２つの被支持板６１と、各被支持板６１の一辺寄りの位置から板面に略垂直に突出して設けられた２つの突出板６２と、この２つの突出板６２の突出端を連結する連結板６３と備えた構成である。換言すれば冶具６は、略垂直に屈曲した板体の中央部分に切り欠きを形成した態様である。また冶具６の突出板６２及び連結板６３は、作業者が制御ユニット９に対して押し付ける押付部に相当する。
【００４４】
２つの被支持板６１には、突出板６２が設けられた一辺とは反対側の辺に、且つ、突出板６２が設けられた面とは反対側の面に、軸保持部６４がそれぞれ設けられている。軸保持部６４は、被支持板６１の辺に沿って並設された３つの湾曲板を有している。３つの湾曲板は、真ん中の湾曲板とその両側の２つの湾曲板とで湾曲方向が逆方向とされ、冶具６の側面視で軸保持部６４は略Ｃ字型をなしている。軸保持部６４は、この３つの湾曲板により丸棒状の軸体を保持することができる。
【００４５】
冶具６が備える２つの軸保持部６４は、電気接続箱１の上面１０ｅに設けられた２つの冶具装着部１６の回転軸１６ｂをそれぞれ保持し、これにより冶具６は、回転軸１６ｂを中心に回動させることが可能となる。また軸保持部６４は側面視で略Ｃ字型であり、３つの湾曲板の突出端に隙間が存在するため、この隙間から回転軸１６ｂを出入りさせることができ、冶具６を電気接続箱１に対して着脱することが可能である。
【００４６】
冶具６の突出板６２の突出端部及び連結板６３には、被支持板６１の軸保持部６４が設けられている側に、突出端部の角部分を切り落とした態様の傾斜面６５が形成されている。また突出板６２には、傾斜面６５に連なって、傾斜面６５から被支持板６１までの領域に、適宜の広さの平面６６が設けられている。冶具６の傾斜面６５及び平面６６は、電気接続箱１に対する制御ユニット９の組み付けを行う際に、制御ユニット９の筐体９０に当接する面である。
【００４７】
冶具６の突出板６２及び連結板６３には、外側の側面に略垂直に補強板６２ａ及び６３ａがそれぞれ設けられている。また連結板６３には、複数（図７においては２つ）のリブ６７が突設されている。各リブ６７は、直方体状であり、その一面が連結板６３に接し、この一面に直交する他面が補強板６３ａに接する態様で設けられている。補強板６２ａ及び６３ａとリブ６７とを設けることによって、冶具６の突出板６２及び連結板６３の強度を増すことができる。なお図示の冶具６にはリブ６７を２つ設けた構成であるが、リブ６７は１つ又は３つ以上であってもよい。
【００４８】
図９は、本実施の形態に係る電気接続箱１に対する制御ユニット９の組み付けを説明するための斜視図である。図１０は、本実施の形態に係る電気接続箱１に対する制御ユニット９の組み付けを説明するための側面図である。電気接続箱１の冶具装着部１６に装着された冶具６は、電気接続箱１の上面１０ｅの面上にて約１８０°の範囲で回動させることが可能である。冶具６が電気接続箱１の正面１０ａ側へ回動された場合、冶具６の突出板６２及び連結板６３は電気接続箱１の正面１０ａに対向する。またこのときに冶具６の連結板６３は、凹所１１内に突出する接続部１１ａの突出端に対向することが好ましい。電気接続箱１の凹所１１内に制御ユニット９が存在する場合、冶具６の突出板６２及び／又は連結板６３は、凹所１１内の制御ユニット９の正面、上面又はこれらの面の境界となる角部分等に当接する。
【００４９】
制御ユニット９を電気接続箱１に組み付ける作業者は、例えば制御ユニット９の組み付け前に、冶具６を予め電気接続箱１に装着しておく。次いで作業者は、制御ユニット９の突出部９１の軸状部分を電気接続箱１の軸保持部１４ｂに保持させることで、制御ユニット９が電気接続箱１に対して回動する状態とする。作業者は、電気接続箱１の凹所１１内に収まる方向へ制御ユニット９を回動させ、凹所１１内に設けられた接続部１１ａを制御ユニット９の筐体９０の背面に設けられた接続部の凹部内に挿入する。ただし電気接続箱１の接続部１１ａと制御ユニット９の接続部との接続は、端子同士の嵌合を伴うため、制御ユニット９の回動と比較してより大きな力を作業者が加える必要がある。
【００５０】
作業者は、電気接続箱１に装着された冶具６を正面１０ａ側へ回動させて、冶具６の突出板６２及び／又は連結板６３を凹所１１内の制御ユニット９に当接させる。このときの電気接続箱１、冶具６及び制御ユニット９の状態を、図９及び図１０に示してある。図示の状態では、冶具６の傾斜面６５が制御ユニット９の筐体９０の角部分に当接している。この状態で作業者は、冶具６の連結板６３を制御ユニット９に対して押し付けるように力を加えることで、制御ユニット９に対して接続部１１ａとの接続箇所の周辺に力を加えることができ、電気接続箱１の接続部１１ａと制御ユニット９の接続部とを接続することができる。冶具６は、傾斜面６５から平面６６へ制御ユニット９の筐体９０との当接箇所が徐々に変化し、最終的には平面６６が筐体９０の正面に当接した状態で押し付けが行われる。電気接続箱１に対する制御ユニット９の接続が完了した後、作業者は、電気接続箱１に装着された冶具６を冶具装着部１６から取り外す。
【００５１】
以上の構成の本実施の形態に係る電気接続箱１は直方体状の箱体であり、電気接続箱１の正面１０ａには制御ユニット９を収容する凹所１１が形成されている。凹所１１内には、制御ユニット９の端子に接続される接続部１１ａが設けられている。電気接続箱１は制御ユニット９を回動可能に支持する支持部１４を備え、作業者は支持部１４に支持された制御ユニット９を回動させて凹所１１内の接続部１１ａに接続する作業を行う。電気接続箱１には、凹所１１が形成された正面１０ａに隣接する上面１０ｅに、制御ユニット９を接続部１１ａに接続する方向へ押し付けるための冶具６を着脱可能に装着する冶具装着部１６が設けられている。これにより作業者は、制御ユニット９を電気接続箱１に組み付ける作業を行う際に、電気接続箱１の冶具装着部１６に冶具６を装着し、電気接続箱１の支持部１４に回動可能に支持された制御ユニット９を冶具６にて接続部１１ａに接続する方向へ押し付けることができるため、制御ユニット９の接続部１１ａへの接続作業を容易化することができる。
【００５２】
また電気接続箱１の冶具装着部１６は、丸棒状の回転軸１６ｂにより、装着された冶具６を回動可能に支持する。作業者は、冶具装着部１６に装着した冶具６を回動して制御ユニット９に押し付け、制御ユニット９を接続部１１ａに接続する作業を行うことができる。
【００５３】
また電気接続箱１の支持部１４に支持された制御ユニット９は凹所１１に出入りする方向へ回動し、その回動の軸方向は電気接続箱１の左右方向である。電気接続箱１の冶具装着部１６に装着された冶具６は回転軸１６ｂにて回動し、回転軸１６ｂの軸方向は電気接続箱１の左右方向である。即ち、支持部１４が制御ユニット９を支持する回動の軸と、冶具装着部１６が冶具６を支持する回動の軸とは、略平行である。これにより、制御ユニット９の回動と冶具６の回動とを同方向とすることができる。
【００５４】
また電気接続箱１の接続部１１ａは、制御ユニット９を回動可能に支持する支持部１４と、冶具６を装着する冶具装着部１６との間に位置している。これにより、冶具装着部１６に装着された冶具６を、接続部１１ａに近い位置で制御ユニット９に押し付けることができる。
【００５５】
また電気接続箱１の接続部１１ａは、制御ユニット９を支持する支持部１４よりも冶具６を装着する冶具装着部１６の近くに位置している。即ち、接続部１１ａ及び冶具装着部１６の間の距離は、接続部１１ａ及び支持部１４の間の距離より短い。これにより作業者は、冶具装着部１６に装着した冶具６を支持部１４に指示された制御ユニット９に押し付けて、より大きな力で制御ユニット９を接続部１１ａに接続することができる。よって制御ユニット９の接続部１１ａへの接続が容易化される。
【００５６】
また電気接続箱１の冶具装着部１６は、電気接続箱１の上面１０ｅに突出して設けられた２つの板部１６ａと、この２つの板部１６ａの間に架け渡された丸棒状の回転軸１６ｂとを有する構成である。これらにより冶具装着部１６は、簡素な構成で、回転軸１６ｂにて冶具６を回動可能に支持することができる。
【００５７】
また冶具６は、電気接続箱１の冶具装着部１６によって回動可能に支持される２つの被支持板６１と、被支持板６１の一面に交差する方向へ延びる２つの突出板６２と、２つの突出板６２を連結する連結板６３とを有する。作業者は、電気接続箱１の上面１０ｅにて回動可能に被支持板６１が支持された冶具６を回動させ、電気接続箱１の正面１０ａの凹所１１に組み付けられる制御ユニット９に冶具６の被支持板６１から延びる突出板６２及び／又は連結板６３を押し付けて、制御ユニット９を電気接続箱１の接続部１１ａに接続することができる。このような冶具６を用いることにより、電気接続箱１の上面１０ｅに支持された冶具６にて、電気接続箱１の正面１０ａに組み付けられる制御ユニット９を接続部１１ａへ押し付ける作業を、作業者が容易に行うことができる。
【００５８】
なお本実施の形態においては、電気接続箱１を直方体状としたが、これに限るものではなく、例えば円柱状又は角柱状等の種々の形状であってよい。また電気接続箱１の左側面１０ｂ及び右側面１０ｄの２面に接続部１２をそれぞれ設ける構成としたが、これに限るものではなく、電気接続箱１のいずれかの１面又は３面以上に接続部１２を設けてよい。また電気接続箱１は、ヒューズを収容するヒューズ収容部２０を備えない構成であってもよい。また電気接続箱１が車両に搭載されるものとしたが、これに限るものではなく、電気接続箱１は車両以外の種々の場所で利用され得る。電気接続箱１に収容される電気部品は、リレー及びヒューズ等に限らず、これら以外の種々の電気部品が収容されてよい。また電気接続箱１に組み付けられる他装置を制御ユニット９としたが、これに限るものではなく、他装置はどのような装置であってもよい。
【００５９】
また図面に示した電気接続箱１の形状などは一例であって、これに限るものではない。また冶具６の形状及び制御ユニット９の形状も、図示のものは一例であって、これに限るものではない。電気接続箱１の上面１０ｅには冶具装着部１６を２つ設けて、冶具６の２つの軸保持部６４が冶具装着部１６の２つの回転軸１６ｂを保持する構成としたが、これに限るものではなく、例えば冶具６の２つの軸保持部６４に保持される長い回転軸を１つ有する構成としてもよく、これ以外の構成であってもよい。また冶具装着部１６は電気接続箱１の上面１０ｅ以外の面に設けられていてもよい。
【符号の説明】
【００６０】
１  電気接続箱（箱体）
６  冶具
９  制御ユニット
１０  本体部
１０ａ  正面
１０ｂ  左側面
１０ｃ  背面
１０ｄ  右側面
１０ｅ  上面
１０ｆ  下面
１１  凹所
１１ａ  接続部
１２  接続部
１２ａ  ケース
１２ｂ  金属端子
１３  開口
１４  支持部
１４ａ  壁部
１４ｂ  軸保持部
１５  被係合部
１６  冶具装着部
１６ａ  板部（突出部）
１６ｂ  回転軸（軸体）
２０  ヒューズ収容部
２１  箱体
２２  蓋体
２２ａ  周壁
２２ｂ  係合部
２２ｃ  係合部
３０  蓋体
４０  回路基板
６１  被支持板
６２  突出板（押付部）
６３  連結板（押付部）
６４  軸保持部
９０  筐体
９１  突出部
９２  係合部
【図１】
2019221018.tif 000003
【図２】
2019221018.tif 000004
【図３】
2019221018.tif 000005
【図４】
2019221018.tif 000006
【図５】
2019221018.tif 000007
【図６】
2019221018.tif 000008
【図７】
2019221018.tif 000009
【図８】
2019221018.tif 000010
【図９】
2019221018.tif 000011
【図１０】
2019221018.tif 000012